【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
圧縮器から解凍器へヘッダ・フィールドの初期値を供給することを含み；
該圧縮器において現在のパケットの現在のヘッダ・フィールドとジッターとに基づいて該現在のパケットの圧縮されているヘッダ・フィールドを計算することを含み、
ここで前記計算は：
ソースと前記解凍器との間の該ネットワークがパケットの伝送に及ぼすジッター効果を計算し、
該圧縮されているヘッダ・フィールドをフィールド値の一部分として計算することを含み、前記部分はジッターの関数である、
ことを特徴とする方法。
【請求項２】
前記のジッター効果を計算することは：
該圧縮器の前の該ネットワークのジッター効果を計算し；
該圧縮器と解凍器との間の該ネットワークのジッター効果を計算することを含む、請求項１に記載の方法。
【請求項３】
該圧縮器と解凍器との間の該ネットワークの前記ジッター効果はジッターについての上限値に設定される、請求項２に記載の方法。
【請求項４】
前記の該圧縮器の前の該ネットワークのジッター効果を計算することは：
基準パケットに関する情報を用いて現在のパケットのジッター効果を計算することを含む、請求項２に記載の方法。
【請求項５】
前記の該圧縮器の前の該ネットワークのジッター効果を計算することは：
前記の現在のパケットと所定数の先行するパケットの各々とに関する情報を用いて現在のパケットのジッター効果を計算することを含む、請求項２に記載の方法。
【請求項６】
前記の該圧縮器の前の該ネットワークのジッター効果を計算することは：
前記の現在のパケットと基準パケットまでの先行する各パケットとに関する情報を用いて現在のパケットのジッター効果を計算することを含む、請求項２に記載の方法。
【請求項７】
前記の該圧縮器において該現在のパケットの該圧縮されているヘッダ・フィールドを計算することは：
該現在のパケットの該圧縮されているヘッダ・フィールドを該フィールド値の最下位ｋビットとして計算することを含み、ここでｋは整数である、請求項１に記載の方法。
【請求項８】
前記ヘッダ・フィールドはタイムスタンプを含む、請求項１の方法。
【請求項９】
前記ヘッダ・フィールドは実時間転送プロトコルタイムスタンプを含む、請求項１の方法。
【請求項１０】
前記の該圧縮器において該現在のパケットの該圧縮されているヘッダ・フィールドを計算することは：
該フィールド値を、表現するのにより少ない数のビットを必要とする、圧縮されている値と称される、他の値に変換し；
該現在のパケットの該圧縮されているヘッダ・フィールドを該圧縮されている値の最下位ｋビットとして計算することを含み、ここでｋは整数である、請求項１に記載の方法。
【請求項１１】
解凍器へヘッダ・フィールドの初期値を供給するように構成された送信機を含み、
現在のパケットの現在のヘッダ・フィールドとジッターとに基づいて該現在のパケットの圧縮されているヘッダ・フィールドを計算するように構成された計算機を含み、
ここで前記計算機は、ソースと前記解凍器との間の該ネットワークがパケットの伝送に及ぼすジッター効果を計算し、そして該圧縮されているヘッダ・フィールドをフィールド値の一部分として計算するように更に構成されており、前記部分はジッターの関数である、
ことを特徴とする装置。
【請求項１２】
前記計算機は：
該圧縮器の前の該ネットワークのジッター効果を計算し；
該圧縮器と解凍器との間の該ネットワークのジッター効果を計算するように更に構成されている、請求項１１に記載の装置。
【請求項１３】
該圧縮器と解凍器との間の該ネットワークの前記ジッター効果はジッターについての上限値に設定される、請求項１２に記載の装置。
【請求項１４】
前記計算機は：
基準パケットに関する情報を用いて現在のパケットのジッター効果を計算するように更に構成されている、請求項１２に記載の装置。
【請求項１５】
前記計算機は：
前記の現在のパケットと所定数の先行するパケットの各々とに関する情報を用いて現在のパケットのジッター効果を計算するように更に構成されている、請求項１２に記載の装置。
【請求項１６】
前記計算機は：
前記の現在のパケットと基準パケットまでの各々の先行するパケットとに関する情報を用いて現在のパケットのジッター効果を計算するように更に構成されている、請求項１２に記載の装置。
【請求項１７】
前記計算機は：
該現在のパケットの該圧縮されているヘッダ・フィールドを該フィールド値の最下位ｋビットとして計算するように更に構成されており、ここでｋは整数である、請求項１１に記載の装置。
【請求項１８】
前記ヘッダ・フィールドはタイムスタンプを含む、請求項１１に記載の装置。
【請求項１９】
前記ヘッダ・フィールドは実時間転送プロトコルタイムスタンプを含む、請求項１１に記載の装置。
【請求項２０】
前記計算機は：
該フィールド値を、表現するのにより少ない数のビットを必要とする、圧縮されている値と称される、他の値に変換し；
該現在のパケットの該圧縮されているヘッダ・フィールドを該圧縮されている値の最下位ｋビットとして計算するように更に構成されており、ここでｋは整数である、請求項１１に記載の装置。
【請求項２１】
現在のパケットの圧縮されているヘッダ・フィールドを受信するように構成された受信機を含み、前記の圧縮されているヘッダ・フィールドは、圧縮器においてソースと装置との間のネットワークがパケットの伝送に及ぼすジッター効果として計算されるフィールド値の一部分として計算されており；
前の圧縮されているヘッダ・フィールドの到着からの経過時間と前のパケットの解凍されているフィールド値とに基づいて該現在のパケットの該ヘッダ・フィールドの近似値を計算するように構成された近似値計算機を含み；
該現在のパケットの該圧縮されているヘッダ・フィールドに基づいて該現在のパケットについてのヘッダ・フィールド訂正量を計算するように構成された訂正計算機を含み；そして
該現在のパケットの該ヘッダ・フィールドの該近似値を該ヘッダ・フィールド訂正量に基づく量だけ調整することによって該現在のパケットの該圧縮されているヘッダ・フィールドを解凍するように構成された解凍器を含む装置。
【請求項２２】
該ソースと該解凍器との間の該ネットワークがパケットの伝送に及ぼす前記ジッター効果は、該圧縮器の前の該ネットワークのジッター効果を計算し、且つ該圧縮器と解凍器との間の該ネットワークのジッター効果を計算することによって計算される、請求項２１に記載の装置。
【請求項２３】
該圧縮器と解凍器との間の該ネットワークの前記ジッター効果はジッターについての上限値に設定される、請求項２２に記載の装置。
【請求項２４】
前記の該圧縮器の前の該ネットワークのジッター効果を計算することは：
基準パケットに関する情報を用いて現在のパケットのジッター効果を計算することを含む、請求項２２に記載の装置。
【請求項２５】
前記の該圧縮器の前の該ネットワークのジッター効果を計算することは：
前記の現在のパケットと所定数の先行するパケットの各々とに関する情報を用いて現在のパケットのジッター効果を計算することを含む、請求項２２に記載の装置。
【請求項２６】
前記の該圧縮器の前の該ネットワークのジッター効果を計算することは：
前記の現在のパケットと基準パケットまでの各々の所定パケットとに関する情報を用いて現在のパケットのジッター効果を計算することを含む、請求項２２に記載の装置。
【請求項２７】
該圧縮されているヘッダ・フィールドは該フィールド値の最下位ｋビットとして計算され、ここでｋは整数である、請求項２１に記載の装置。
【請求項２８】
該圧縮されているヘッダ・フィールドは圧縮されている値の最下位ｋビットとして計算され、ここでｋは整数であり；そして
該解凍器は、前のパケットの到着から経過した時間と該前のパケットの解凍器圧縮されている値とに基づいて該圧縮されている値の近似値を計算するように構成されている、請求項２１に記載の装置。
【請求項２９】
コンピュータに、
圧縮器から解凍器へヘッダ・フィールドの初期値を供給する手順と；
該圧縮器において現在のパケットの現在のヘッダ・フィールドとジッターとに基づいて該現在のパケットの圧縮されているヘッダ・フィールドを計算する手順と、を実行させるプログラムであって、
ここで前記計算は：
ソースと前記解凍器との間の該ネットワークがパケットの伝送に及ぼすジッター効果を計算し、
該圧縮されているヘッダ・フィールドをフィールド値の一部分として計算することを含み、前記部分はジッターの関数である、
ことを特徴とするプログラム。
【請求項３０】
コンピュータに、
解凍器において現在のパケットの圧縮されているヘッダ・フィールドを受信する手順を実行させるプログラムであって、前記の圧縮されているヘッダ・フィールドは、ソースと該解凍器との間のネットワークがパケットの伝送に及ぼすジッター効果として計算されるフィールド値の一部分として圧縮器において計算されており；
前記プログラムは、更に、
コンピュータに、
前の圧縮されているヘッダ・フィールドが該解凍器に到着してからの経過時間と前のパケットの解凍されているフィールド値とに基づいて該解凍器において該現在のパケットの該ヘッダ・フィールドの近似値を計算する手順；
該現在のパケットの該圧縮されているヘッダ・フィールドに基づいて該解凍器において該現在のパケットについてのヘッダ・フィールド訂正量を計算する手順；そして
該現在のパケットの該ヘッダ・フィールドの該近似値を該ヘッダ・フィールド訂正量に基づく量だけ調整することによって該解凍器において該現在のパケットの該圧縮されているヘッダ・フィールドを解凍する手順を実行させることを特徴とするプログラム。
【請求項３１】
通信システムであって、この通信システムは：
複数のパケットを供給するソースを含み、各パケットはヘッダ・フィールドを含み、該ソースはネットワークに結合され；
解凍器を含むレシーバーを含み；
ネットワーク・エンティティーを含み、該ネットワーク・エンティティーは該ネットワークに結合され且つ該ネットワーク・エンティティーと該レシーバーとの間のネットワークによって該レシーバーに結合され、該ネットワーク・エンティティーは該ソースから送られて該レシーバーへ向けられた該パケットのうちの少なくとも幾つかについてヘッダ・フィールド圧縮を実行するための圧縮器を含み、該ネットワーク・エンティティーは、該レシーバー端末へ向けられた該パケットのジッターを計算し且つ所定値より大きいジッターを有するパケットを捨てるためのジッター減少機能を含み、 
該ジッターは該ソースと該レシーバーに含まれる該解凍器との間の該ネットワークに起因するジッターの量の合計として計算される通信システム。
【請求項３２】
前記ジッターは、該圧縮器の前の該ネットワークのジッター効果を計算し、且つ該圧縮器と解凍器との間の該ネットワークのジッター効果を計算することによって計算される、請求項３１に記載の通信システム。
【請求項３３】
該圧縮器と解凍器との間の該ネットワークの前記ジッター効果は、ジッターについての上限値に設定される、請求項３１に記載の通信システム。
【請求項３４】
該圧縮器の前の該ネットワークの前記ジッターは、基準パケットに関する情報を用いて現在のパケットのジッター効果を計算することによって計算される、請求項３２に記載の通信システム。
【請求項３５】
前記の該圧縮器の前の該ネットワークのジッター効果を計算することは： 
前記の現在のパケットと所定数の先行するパケットの各々とに関する情報を用いて現在のパケットのジッター効果を計算することを含む、請求項３２に記載の通信システム。
【請求項３６】
前記の該圧縮器の前の該ネットワークのジッター効果を計算することは：
前記の現在のパケットと基準パケットまでの各々の先行するパケットとに関する情報を用いて現在のパケットのジッター効果を計算することを含む、請求項３２に記載の通信システム。
【請求項３７】
該圧縮されているヘッダ・フィールドは圧縮されている値の最下位ｋビットとして計算され、ここでｋは整数であり；
該解凍器は、前のパケットの到着から経過した時間と該前のパケットの解凍器圧縮されている値とに基づいて該圧縮されている値の近似値を計算する、請求項３１に記載の通信システム。